(57)【要約】【課題】濁水に適切な量の薬剤を効率よく溶解させることができる濁水処理装置を提供する。【解決手段】濁水に薬剤を溶解させ、土粒子を沈降除去させる濁水処理装置であって、薬剤を収納する通水容器１０と、通水容器１０に濁水を供給するポンプ２０とを具備し、通水容器１０には、収納された薬剤よりも下方の下方空間にポンプ２０から供給される濁水を導く流入配管１３と、収納された薬剤よりも上方から薬剤を溶解させた濁水を処理水として外部に流出させる流出配管１７とが設けられている。この構成により、通水容器１０の薬剤と濁水とを一定水量で接触させ、土粒子の沈降に必要な凝集成分を定量的に供給することができる。【選択図】図１
2019150776.tif 000002
【特許請求の範囲】
【請求項１】
濁水に薬剤を溶解させ、土粒子を沈降除去させる濁水処理装置であって、
前記薬剤を収納する通水容器と、
前記通水容器に濁水を供給するポンプと、を具備し、
前記通水容器には、
収納された前記薬剤よりも下方の下方空間に前記ポンプから供給される濁水を導く流入配管と、
収納された前記薬剤よりも上方から薬剤を溶解させた濁水を処理水として外部に流出させる流出配管とが設けられていることを特徴とする濁水処理装置。
【請求項２】
前記通水容器は、収納された前記薬剤が前記ポンプによって汲み上げる濁水の水位よりも上方に位置するように配置されていることを特徴とする請求項１記載の濁水処理装置。
【請求項３】
前記通水容器もしくは前記流出配管には、前記通水容器に収納された前記薬剤よりも上方で内部と外部とを連通する連通管が設けられていることを特徴とする請求項２記載の濁水処理装置。
【請求項４】
前記ポンプによって汲み上げる濁水の水位が設定水位以上か未満かを検出する水位検出装置を具備し、
前記水位検出装置によって濁水の水位が設定水位未満であることが検出されると、前記ポンプの駆動を停止させることを特徴とする請求項１乃至３のいずれかに記載の濁水処理装置。
【請求項５】
濁水から土粒子を沈降除去させた後の放流水の状態が設定された範囲内に収まっているか否かを監視する放流水監視装置を具備し、
前記放流水監視装置によって放流水の状態が設定された範囲内に収まっていないことが検出されると、前記ポンプの駆動を停止させることを特徴とする請求項１乃至４のいずれかに記載の濁水処理装置。
【請求項６】
前記ポンプの駆動時間に基づいて前記薬剤の交換時期を監視する薬剤監視装置を具備することを特徴とする請求項１乃至５のいずれかに記載の濁水処理装置。
【発明の詳細な説明】
【技術分野】
【０００１】
本発明は、凝集剤を用いて濁水を処理する濁水処理装置に関する。
【背景技術】
【０００２】
近年、周辺環境に影響を与えることなく工事を進めることがより重要視されており、工事現場等で発生する濁水を放流する場合、生活環境や生態系に悪影響を及ぼさぬように、仮設沈砂池等で土粒子をあらかじめ除去する必要がある。
【０００３】
仮設沈砂池等で土粒子の除去性能を向上する方法として、濁水中に凝集剤を浸漬する方法が一般的に行われている。ネット等に入れた固形の凝集剤を濁水中に吊り下げ、濁水と接触させて凝集剤を溶解させ、土粒子のフロックを形成させることで沈降除去する。しかし、凝集剤の溶解量のコントロールが難しい。凝集剤の溶解量が少ない場合には、所望の凝集効果が得られなくなる。凝集剤の溶解量が多い場合、余剰の凝集成分やｐＨが放流基準値を逸脱した処理水が流出してしまう。
【０００４】
そこで、固形凝集剤を特殊樹脂で被覆することで凝集成分を一定期間、一定濃度で溶出させる徐放性凝集剤が提案されている（例えば、特許文献１参照）。特許文献１によれば、長期にわたり凝集効果を維持しつつ、余剰の凝集成分や低ｐＨの処理水の流出を抑えることができる。
【０００５】
また、ポンプによって汲み上げた濁水を、固形凝集剤カプセルを投入した処理筒に導き、処理筒で凝集剤を濁水と接触させて溶解させる技術が提案されている（例えば、特許文献２参照）。特許文献２によれば、濁水の流量、固形凝集剤カプセルの本数、固形凝集剤カプセルに充填する固形凝集剤の量に基づいて、凝集剤の溶解量をコントロールすることができる。
【先行技術文献】
【特許文献】
【０００６】
【特許文献１】特開２０１３−２３０４１８号公報
【特許文献２】特開昭５８−６４１８７号公報
【発明の概要】
【発明が解決しようとする課題】
【０００７】
しかしながら、沈砂池等へ流入する濁水は、流入量や流入頻度が一定でない。濁水の流入量が変化すると、浸漬した固形の凝集剤を濁水と一定のスピードで接触させることが難しい。このため、濁水の流入量が多くなると、濁水中に占める凝集成分の割合が少なくなってしまい、土粒子の沈降除去効果が不十分となる場合がある。
【０００８】
また、濁水の流入がない場合も、固形の凝集剤と濁水とが接触状態であるため、凝集成分が凝集沈殿に必要な濃度以上に水に溶解し、不経済となる。従って、固形凝集剤の浸漬は、現場職員もしくは作業員によって実施することになるが、休工日の降雨等により濁水が発生した場合は、現場に職員等が不在のため浸漬できない。
【０００９】
さらに、固形凝集剤の成分が酸性もしくはアルカリ性である場合、濁水の流入がない場合も固形凝集剤を長時間浸漬しておくと、固形凝集剤等が過剰に溶解することで、処理水のｐＨが酸性もしくはアルカリ性に変動してしまい、放流基準を満たせなくなってしまう。
【課題を解決するための手段】
【００１０】
本発明は、上述した事情を考慮してなされたもので、濁水に適切な量の薬剤を効率よく溶解させることができる濁水処理装置を提供することを目的とする。
【００１１】
上記目的を達成するため、本発明は、濁水に薬剤を溶解させ、土粒子を沈降除去させる濁水処理装置であって、前記薬剤を収納する通水容器と、前記通水容器に濁水を供給するポンプとを具備し、前記通水容器には、収納された前記薬剤よりも下方の下方空間に前記ポンプから供給される濁水を導く流入配管と、収納された前記薬剤よりも上方から薬剤を溶解させた濁水を処理水として外部に流出させる流出配管とが設けられていることを特徴とする。
さらに、本発明は、前記通水容器は、収納された前記薬剤が前記ポンプによって汲み上げる濁水の水位よりも上方に位置するように配置されていても良い。
さらに、本発明は、前記通水容器もしくは前記流出配管には、前記通水容器に収納された前記薬剤よりも上方で内部と外部とを連通する連通管が設けられていても良い。
さらに、本発明は、前記ポンプによって汲み上げる濁水の水位が設定水位以上か未満かを検出する水位検出装置を具備し、前記水位検出装置によって濁水の水位が設定水位未満であることが検出されると、前記ポンプの駆動を停止させても良い。
さらに、本発明は、  濁水から土粒子を沈降除去させた後の放流水の状態が設定された範囲内に収まっているか否かを監視する放流水監視装置を具備し、前記放流水監視装置によって放流水の状態が設定された範囲内に収まっていないことが検出されると、前記ポンプの駆動を停止させても良い。
さらに、本発明は、前記ポンプの駆動時間に基づいて前記薬剤の交換時期を監視する薬剤監視装置を備えていても良い。
【発明の効果】
【００１２】
本発明によれば、通水容器の薬剤と濁水とを一定水量で接触させ、土粒子の沈降に必要な凝集成分を定量的に供給することができるため、濁水に適切な量の薬剤を効率よく溶解させることができるという効果を奏する。
【図面の簡単な説明】
【００１３】
【図１】本発明に係る濁水処理装置の実施形態の構成を示す構成図である。
【図２】図１に示す通水容器の断面図である。
【図３】図２に示す薬剤の充填量の算出に用いる通水試験結果例及び凝集沈殿試験計測結果例を示す図である。
【図４】本発明に係る濁水処理装置の実施形態の他の適用例を示す図である。
【図５】図１に示す濁水処理装置に付加する薬剤監視装置の構成を示すブロック図である。
【発明を実施するための形態】
【００１４】
以下、本発明に係る濁水処理装置の実施形態について、添付図面を参照して説明する。なお、以下の実施の形態において、同様の機能を示す構成には、同一の符号を付して適宜説明を省略する。
【００１５】
本実施形態の濁水処理装置は、処理前貯留槽１から汲み上げた濁水に凝集剤等の薬剤を溶解させ、溶解させた薬剤によって沈砂用水槽２での土粒子の沈降除去を促進させるための装置であり、図１を参照すると、通水容器１０と、ポンプ２０と、フロートスイッチ３０と、放流水監視装置４０とポンプ制御部５０と、を備えている。
【００１６】
処理前貯留槽１は、本実施形態の濁水処理装置によって処理する前の濁水を貯留する水槽であり、工事現場等で発生した濁水が流入パイプ３を介して流入される。沈砂用水槽２は、本実施形態の濁水処理装置によって処理した後の濁水（以下、処理水と称す）を貯留し、フロックの形成によって土粒子を沈降除去する水槽であり、土粒子が沈降除去された処理水が放流水として放流パイプ４を介して放流される。
【００１７】
通水容器１０は、図２を参照すると、上部開口を有する上部解放容器１１と、上部解放容器１１の上部開口を閉じる上蓋部１２とからなり、処理前貯留槽１及び沈砂用水槽２の水面によりも上方に配置されている。
【００１８】
上部解放容器１１には、接続されたホース６０からの濁水を内部に導く流入配管１３が、上部解放容器１１の底部に近い側面部に取り付けられている。なお、流入配管１３は、上部解放容器１１の底部に取り付けるようにしても良い。
【００１９】
流入配管１３には、上部解放容器１１に流入する濁水中に含まれるゴミ等の異物を取り除くストレーナー１４が設けられている。このストレーナー１４によって通水容器１０内での目詰まりによる閉塞等を防止することができる。
【００２０】
上部解放容器１１の内部には、固形凝集剤や徐放性凝集剤等の薬剤５を載置する載置板１５が支持部材１６によって底部と間隔をおいて、流入配管１３の出口、すなわち通水容器１０の内部に濁水が供給される供給口よりも上方に支持されている。これにより、濁水は、通水容器１０に収納された薬剤５よりも下方の下方空間に導かれることになる。
【００２１】
載置板１５は、網板や塩ビ目皿等の開口率が大きい板状部材で構成されている。また、載置板１５は、上部解放容器１１の上部開口から取り出せる寸法に設定されている。これにより、上部解放容器１１内の清掃を容易に行うことができる。なお、支持部材１６の代わり上部解放容器１１の内壁に鍔部を形成し、鍔部によって載置板１５を支持するようにしても良い。
【００２２】
凝集剤等の薬剤５は、載置板１５に載置する。すなわち、通水容器１０内部において、載置板１５よりも上方が薬剤５の収納空間となる。薬剤５は、例えば、図２に示すように、薬剤５を網袋６に装填した状態で載置板１５に載置すると良い。網袋６に装填することで、交換を容易に行うことができる。また、薬剤５として固形凝集剤を特殊樹脂で被覆した徐放性凝集剤を使用する場合、凝集剤が溶解しても特殊樹脂の形状は変化しない。従って、薬剤５は、溶解が進んでも常に万遍なく収納空間に配置される。さらに、薬剤５として固形凝集剤を用いた場合、濁水が固形凝集剤と接触することでフロックが形成されるが、形成されたフロックは重力によって沈降して固形凝集剤よりも下方の下方空間に堆積される。従って、フロックによる固形凝集剤内の目詰まりを防止することができる。
【００２３】
上蓋部１２には、外部に処理水を流出させる流出配管１７が取り付けられている。流出配管１７の入口、すなわち通水容器１０の内部から処理水かでていく排出口は、通水容器１０に収納された薬剤５よりも上方に位置する。処理水は、流出配管１７に接続されたホース７０を介して沈砂用水槽２に放流される。
【００２４】
流出配管１７には、流出配管１７の内部と外部とを連通する連通管１８が設けられている。連通管１８の内径は、流出配管１７の内径に比べて十分に小さく設定されている。なお、連通管１８は、前記通水容器に収納された前記薬剤よりも上方で、内部と外部とを連通していればよく、上蓋部１２に設けるようにしても良い。
【００２５】
ポンプ２０は、処理前貯留槽１に貯留された濁水を汲み上げて、通水容器１０の流入配管１３に接続されたホース６０を介して通水容器１０の内部に供給する。
【００２６】
本実施形態では、ポンプ２０は、処理前貯留槽１の水面下に配置された水中ポンプで構成され、少なくとも上部解放容器１１内に支持されている載置板１５よりも下方に配置されている。また、ポンプ２０と流入配管１３とを接続するホース６０は、上部解放容器１１内に支持されている載置板１５よりも下方に配置されている。さらに、ポンプ２０及びホース６０には、逆止弁が設けられていない。
【００２７】
フロートスイッチ３０は、処理前貯留槽１の濁水の水位が設定水位以上か未満かを検出する水位検出装置である。フロートスイッチ３０は、濁水の水位が設定水位以上の場合、オン信号をポンプ制御部５０に出力し、濁水の水位が設定水位未満の場合、オフ信号をポンプ制御部５０に出力する。
【００２８】
放流水監視装置４０は、沈砂用水槽２からの放流水の状態が設定された範囲内に収まっているか否かを検出する。放流水監視装置４０は、放流水の状態が設定された範囲内に収まっている場合、オン信号をポンプ制御部５０に出力し、放流水の状態が設定された範囲内に収まっていない場合、オフ信号をポンプ制御部５０に出力する。
【００２９】
例えば、放流水監視装置４０は、放流水のｐＨが設定された範囲内に収まっているか否かを監視するｐＨ監視装置を用いることができる。また、放流水監視装置４０は、放流水の濁度が設定された範囲内に収まっているか否かを監視する濁度監視装置を用いても良い。
【００３０】
ポンプ制御部５０は、フロートスイッチ３０と放流水監視装置４０とのいずれの出力もオン信号である場合、ポンプ２０を駆動させる。ポンプ２０の駆動により、処理前貯留槽１から汲み上げられた濁水が流入配管１３から通水容器１０内に供給され、薬剤５が収納された収納空間を通って流出配管１７からオーバーフローする。これにより、濁水と薬剤５とが接触して薬剤５の凝集成分が濁水に溶解し、凝集成分が溶解した濁水が処理水として沈砂用水槽２に放流される。
【００３１】
なお、ポンプ２０の動力については特に制限はない。例えば、処理前貯留槽１に流入する濁水で回る水車を動力源とすることができる。この場合、処理前貯留槽１に濁水が流入する時だけ、ポンプ２０を駆動させることができ、フロートスイッチ３０の機能を兼用できる。
【００３２】
また、連通管１８の内径は、流出配管１７の内径に比べて十分に小さく設定されているため、ポンプ２０が駆動されている状態でも、処理水が連通管１８から流出することはない。
【００３３】
ポンプ制御部５０は、フロートスイッチ３０と放流水監視装置４０のいずれかもしくは両方の出力がオフ信号である場合、ポンプ２０の駆動を停止させる。これにより、ポンプ２０が駆動されていない状態では、流出配管１７に設けられた連通管１８を介して外部から流出配管１７の内部に空気が侵入し、通水容器１０内部の濁水の水位が載置板１５よりも下方に下がり、載置板１５に載置された薬剤５が濁水と接触しない状態となる。
【００３４】
なお、連通管１８に処理水の流出を制限する方向のチェック弁を設けると、連通管１８の内径に制限はなくなる。この場合、連通管１８の内径を大きくすることで、速やかに空気を内部に侵入させることができ、ポンプ２０の停止後に、通水容器１０内部の濁水の水位を素早く下げることができる。
【００３５】
通水容器１０に収納する薬剤５の充填量は、通水量（ＳＶ値）と溶出する凝集成分量との関係から、土粒子の沈降に必要となる適切な量とすることができる。すなわち、本実施形態では、通水容器１０の薬剤５と濁水とを一定水量で接触させることにより、土粒子の沈降に必要な凝集成分を定量的に供給することができる。従って、適切な薬剤５の充填量を簡単に算出することができる。
【００３６】
まず、図３（ａ）に示すように通水量（ＳＶ値）と溶出する凝集成分量との関係をカラム通水試験等で求める。図３（ａ）に示す通水試験結果では、薬剤５として固形凝集剤表面に特殊樹脂で被覆することにより、凝集効果の持続期間を１週間程度に調整した徐放性凝集剤を用いた。なお、図３（ａ）において、「溶出Ａｌ（アルミニウム）濃度」が凝集成分量であり、「処理流量」がポンプ２０の吐出量、すなわち通水容器１０内に供給される濁水の単位時間当たりの流量に対応する。
【００３７】
次に、凝集沈殿試験として、現場で採取した濁水を対象に、異なる「溶出Ａｌ（アルミニウム）濃度」毎の濁度と沈降時間との関係を計測する。この凝集沈殿試験計測結果を図３（ｂ）に示す。
【００３８】
次に、低減する濁度の目標値を設定し、処理設備を設計する。以下、初期濁度がほぼ１０００ｍｇ／Ｌの濁水を１００ｍｇ／Ｌ以下の処理後濁度に低減することを目標とした場合の処理設備の設計例を示す。
【００３９】
まず、凝集沈殿に必要な「溶出Ａｌ（アルミニウム）濃度」を設定する。図３（ｂ）に示す凝集沈殿試験計測結果を参照すると、沈降時間１時間とした場合に濁度を１００ｍｇ／Ｌ以下に低減させるための最適な「溶出Ａｌ（アルミニウム）濃度」は２．０ｍｇ／Ｌであることが分かる。
【００４０】
次に、通水容器１０に収納する薬剤５の充填量を求める。処理流量は、通水容器１０に濁水を供給するポンプ２０の吐出量より決定される。ポンプ２０の吐出量を６ｍ３／ｈとした場合、図３（ａ）に示す通水試験結果によると、「溶出Ａｌ（アルミニウム）濃度」を２．０ｍｇ／Ｌにするために必要な薬剤５の充填量は４０Ｌとなる。
【００４１】
また、沈砂用水槽２の容量は、ポンプ２０の吐出量を６ｍ３／ｈで沈降時間１時間を確保するため、６ｍ３以上であれば良い。さらに、通水容器１０の容量は、内部に薬剤５の充填量は４０Ｌを収納する収納空間を確保可能な、例えば６０Ｌ程度に設定すると良い。
【００４２】
図１に示す例では、処理前貯留槽１から濁水を汲み上げ、処理水を処理前貯留槽１とは異なる沈砂用水槽２に放流する例について説明したが、図４に示すように、仮設沈砂池７から濁水を汲み上げ、処理水を同じ仮設沈砂池７に放流するようにしても良い。
【００４３】
本実施形態の濁水処理装置に、通水容器１０に収納している薬剤５の状態を監視する薬剤監視装置８０を付加しても良い。本実施形態において、通水容器１０に収納している薬剤５は、ポンプ２０の駆動時のみ濁水に浸漬することになる。従って、薬剤監視装置８０は、ポンプ２０の駆動時間に基づいて、薬剤５の交換時期を監視する。
【００４４】
薬剤監視装置８０は、図５を参照すると、駆動時間積算部８１と、リセット入力部８２と、持続時間入力部８３と、駆動時間比較部８４と、交換時期報知部８５とを備えている。
【００４５】
駆動時間積算部８１は、ポンプ制御部５０によるポンプ２０の駆動時間を積算する。なお、駆動時間積算部８１によって積算された駆動時間は、薬剤の交換時等にリセット入力部８２の装置によってリセットされる。なお、ポンプ２０の駆動時間は、ポンプ２０の駆動に伴う通水を検出することで類推するようにしても良い。この場合、通水容器１０内や流出配管１７等の通水経路に設けた水検出センサや圧力センサによってポンプ２０の駆動に伴う通水を検出することができる。
【００４６】
持続時間入力部８３は、薬剤５の凝集効果の持続期間の入力を受け付けて、駆動時間比較部８４に通知する。予め使用する薬剤５が決まっている場合には、持続時間も予め設定しておいても良い。
【００４７】
駆動時間比較部８４は、持続時間入力部８３から入力された持続期間から駆動時間積算部８１による積算時間を減算した残り時間を算出し、算出した残り時間を交換時期報知部８５によってユーザーに報知する。なお、交換時期報知部８５としては、残り時間を表示する表示装置や、図示しないネットワークを介してユーザーが所持している端末装置等に残り時間を通知する送信装置を用いることができる。
【００４８】
これにより、ユーザーは、薬剤５の凝集効果が持続する残り時間を把握することができ、適切なタイミングで薬剤５を交換することができる。また、残り時間が予め設定した閾時間を下回った場合に薬剤の交換タイミングをユーザーに報知するようにしても良い。
【００４９】
さらに、積算時間が持続期間に達した場合、薬剤５の凝集効果がなくなったことを意味するため、駆動時間比較部８４によってポンプ制御部５０に停止信号を出力させ、ポンプ２０の駆動を停止させるようにしても良い。
【００５０】
以上説明したように、本実施形態は、濁水に薬剤５を溶解させ、土粒子を沈降除去させる濁水処理装置であって、薬剤５を収納する通水容器１０と、通水容器１０に濁水を供給するポンプ２０とを具備し、通水容器１０には、収納された薬剤５よりも下方の下方空間にポンプ２０から供給される濁水を導く流入配管１３と、収納された薬剤５よりも上方から薬剤を溶解させた濁水を処理水として外部に流出させる流出配管１７とが設けられている。
この構成により、通水容器１０内の濁水を下から上に向かって上昇させることで、濁水を薬剤５（固形凝集剤）全体に万遍なく接触させることができる。従って、通水容器１０の薬剤５と濁水とを一定水量で接触させ、土粒子の沈降に必要な凝集成分を定量的に供給することができるため、濁水に適切な量の薬剤を効率よく溶解させることができる。
【００５１】
さらに、本実施形態によれば、通水容器１０は、収納された薬剤５がポンプ２０によって汲み上げる濁水の水位よりも上方に位置するように配置されている。
この構成により、通水容器１０への通水量がポンプ２０の吐出量に依存させることができ、通水容器１０の薬剤５と濁水とをより正確に一定水量で接触させることができる。
【００５２】
さらに、本実施形態によれば、通水容器１０もしくは流出配管１７には、通水容器１０に収納された薬剤５よりも上方で内部と外部とを連通する連通管１８が設けられている。
この構成により、ポンプ２０の駆動が停止されると、連通管１８を介して外部から流出配管１７の内部に空気が侵入し、通水容器１０内部の濁水の水位が載置板１５よりも下方に下がり、載置板１５に載置された薬剤５が濁水と接触しない状態となる。これにより、薬剤５が無駄に溶出されることがなくなる。
【００５３】
さらに、本実施形態は、ポンプ２０によって汲み上げる濁水の水位が設定水位以上か未満かを検出する水位検出装置として機能するフロートスイッチ３０を具備し、フロートスイッチ３０によって濁水の水位が設定水位未満であることが検出されると、ポンプ２０の駆動を停止させる。
この構成により、必要のある時のみ動作させることができ、薬剤５の消費量を抑え、効率的な濁水処理が可能になる。
【００５４】
さらに、本実施形態は、濁水から土粒子を沈降除去させた後の放流水の状態が設定された範囲内に収まっているか否かを監視する放流水監視装置４０を具備し、放流水監視装置４０によって放流水の状態が設定された範囲内に収まっていないことが検出されると、ポンプ２０の駆動を停止させる。
この構成により、薬剤５の過剰な溶解を防止し、放流基準を遵守した適切な管理が可能になる。
【００５５】
また、本実施形態は、ポンプ２０の駆動時間に基づいて薬剤５の交換時期を監視する薬剤監視装置８０を具備する。
この構成により、正確な交換時期をユーザーに報知することができる。
【００５６】
以上、本発明を、実施形態をもとに説明した。この実施形態は例示であり、それらの各構成要素の組み合わせ等にいろいろな変形例が可能なこと、またそうした変形例も本発明の範囲にあることは当業者に理解されるところである。
【符号の説明】
【００５７】
１  処理前貯留槽
２  沈砂用水槽
３  流入パイプ
４  放流パイプ
５  薬剤
６  網袋
７  仮設沈砂池
１０  通水容器
１１  上部解放容器
１２  上蓋部
１３  流入配管
１４  ストレーナー
１５  載置板
１６  支持部材
１７  流出配管
１８  連通管
２０  ポンプ
３０  フロートスイッチ
４０  放流水監視装置
５０  ポンプ制御部
６０、７０  ホース
８０  薬剤監視装置
８１  駆動時間積算部
８２  リセット入力部
８３  持続時間入力部
８４  駆動時間比較部
８５  交換時期報知部
【図１】
2019150776.tif 000003
【図２】
2019150776.tif 000004
【図３】
2019150776.tif 000005
【図４】
2019150776.tif 000006
【図５】
2019150776.tif 000007